(57)【要約】【課題】スカートを脚部に把持するスカート把持具であって、快適に装着できるものを提供すること。【解決手段】スカート把持具１は、胴部２ｂ，３ｂに対して先端２ａ，３ａを一側に湾曲する第１及び第２アーム２，３、第１及び第２アーム２，３の基端２ｃ，３ｃをそれぞれの先端２ａ，３ａを対向して連結し、先端２ａ，３ａを互いに近接する方向に付勢する連結部４を備える。連結部４により、胴部２ｂ，３ｂに対して先端２ａ，３ａを一側に湾曲する第１及び第２アーム２，３の基端２ｃ，３ｃをそれぞれの先端２ａ，３ａを対向して連結するとともに先端２ａ，３ａを互いに近接する方向に付勢することで、第１及び第２アーム２，３の先端２ａ，３ａを広げ、それらの内側に脚部を入れてスカートとともに挟むことで、スカートを脚部に把持することができる。【選択図】図１
0003212260.tif 000002
【実用新案登録請求の範囲】
【請求項１】
スカートを脚部に把持するスカート把持具であって、
胴部に対して先端を一側に湾曲する第１及び第２アームと、
前記第１及び第２アームの基端をそれぞれの先端を対向して連結し、該先端を互いに近接する方向に付勢する連結部と、
を備えるスカート把持具。
【請求項２】
前記第１及び第２アームは、複数の穴部が設けられた帯形状を有することを特徴とする、請求項１に記載のスカート把持具。
【請求項３】
前記連結部は、付勢力を発する付勢部材を有することを特徴とする、請求項２に記載のスカート把持具。
【請求項４】
前記第１及び第２アームは、それぞれ、前記基端を前記胴部に対して他側に湾曲させ、
前記連結部は、前記第１及び第２アームの前記基端をそれぞれの前記胴部の内面よりなる弧の外側で連結することを特徴とする、請求項１〜３のいずれか一項に記載のスカート把持具。
【請求項５】
前記連結部は、使用状態における前記第１及び第２アームの開き角度において、前記第１及び第２アームの前記基端をそれぞれの前記胴部を通る弧上で連結することを特徴とする、請求項１〜３のいずれか一項に記載のスカート把持具。
【考案の詳細な説明】
【技術分野】
【０００１】
本考案は、スカートを脚部に把持するスカート把持具に関する。
【背景技術】
【０００２】
スカートをはいている女性が自転車に乗ると、風に煽られてスカートが捲れるおそれがある。そこで、特許文献１には、弾力性のあるＵの字型の枠よりなるスカートまくれ防止具が開示されている。自転車に乗るときに、枠をスカートの上から大腿部又は下腿部（以下、大腿部、下腿部を合わせて「脚部」という。）にはめることでスカートを脚部に把持する。
【０００３】
しかし、特許文献１のスカートまくれ防止具は、装着部に汗をかき、不快に感じたりスカートに汗がしみてしまったりするおそれが大きい。また、ファッション的にも必ずしも優れたものではない。
【先行技術文献】
【特許文献】
【０００４】
【特許文献１】特開平７−３３１５１８号公報
【考案の概要】
【考案が解決しようとする課題】
【０００５】
本考案は、スカートを脚部に把持するスカート把持具であって、快適に装着できるものを提供することを課題とする。
【課題を解決するための手段】
【０００６】
本考案は、スカートを脚部に把持するスカート把持具であって、胴部に対して先端を一側に湾曲する第１及び第２アームと、第１及び第２アームの基端をそれぞれの先端を対向して連結し、先端を互いに近接する方向に付勢する連結部と、を備えるスカート把持具である。
【０００７】
これによれば、連結部により、胴部に対して先端を一側に湾曲する第１及び第２アームの基端をそれぞれの先端を対向して連結するとともに先端を互いに近接する方向に付勢することで、第１及び第２アームの先端を広げ、それらの内側に脚部を入れてスカートとともに挟むことで、スカートを脚部に把持することができる。
【０００８】
本考案のスカート把持具は、第１及び第２アームは、複数の穴部が設けられた帯形状を有することを特徴とする。
【０００９】
これによれば、第１及び第２アームが帯形状を有することでスカートを脚部に強く把持することができ、また複数の穴部が設けられていることでこれらを介して通気することができる。
【００１０】
本考案のスカート把持具は、連結部は、付勢力を発する付勢部材を有することを特徴とする。
【００１１】
第１及び第２アームは、複数の穴部が設けられていることで、特許文献１に開示されたもののよう弾力性のある材質としても、それらの弾性による付勢力が小さい。しかし、連結部が付勢力を発する付勢部材を有することで、これにより第１及び第２アームの先端を互いに近接する方向に十分な力で付勢することができる。
【００１２】
本考案のスカート把持具は、第１及び第２アームは、それぞれ、基端を胴部に対して他側に湾曲させ、連結部は、第１及び第２アームの基端をそれぞれの胴部の内面よりなる弧の外側で連結することを特徴とする。
【００１３】
これによれば、連結部は、胴部に対して他側に湾曲する第１及び第２アームの基端をそれぞれの胴部の内面よりなる弧の外側で連結することで、使用時において、第１及び第２アームの基端がスカート及びこれを介して脚部に当接して傷めることがない。
【００１４】
本考案のスカート把持具は、連結部は、使用状態における第１及び第２アームの開き角度において、第１及び第２アームの基端をそれぞれの胴部を通る弧上で連結することを特徴とする。
【００１５】
これによれば、連結部は、使用状態における第１及び第２アームの開き角度において、第１及び第２アームの基端をそれぞれの胴部を通る弧上で連結することで、使用時において、第１及び第２アームの基端がスカート及びこれを介して脚部に当接して傷めることがない。
【考案の効果】
【００１６】
本考案によれば、スカートを脚部に把持するスカート把持具であって、快適に装着できるものを提供することが可能となる。
【図面の簡単な説明】
【００１７】
【図１】図１は、スカート把持具の構成を示す図である。（実施例１）
【図２】図２は、スカート把持具の開閉状態を示す図である。（実施例１）
【図３】図３は、スカート把持具の構成を示す図である。（実施例２）
【図４】図４は、スカート把持具の開閉状態を示す図である。（実施例２）
【図５】図５は、スカート把持具のデザインを示す図である。（実施例３）
【図６】図６は、スカート把持具の装着状態を示す図である。（実施例３）
【考案を実施するための形態】
【００１８】
以下、本考案の実施例について説明する。
【実施例１】
【００１９】
図１は、スカート把持具１の構成を示す。ここで、図１（Ａ）〜（Ｃ）は、それぞれ、第１アーム２、第２アーム３、及び第１及び第２アーム２，３を連結して構成されたスカート把持具１を示す。スカート把持具１は、スカートを脚部に把持する器具であり、第１及び第２アーム２，３並びに連結部４を備える。
【００２０】
第１及び第２アーム２，３は、例えば金属、樹脂等から構成される帯形状の部材であり、胴部２ｂ，３ｂに対して先端２ａ，３ａを一側（すなわち、スカート把持具１の内面側）に湾曲して成形されている。それぞれの胴部２ｂ，３ｂには、内面から外面に貫通する円形状の複数（一例として７つ）の穴部２ｂ０，３ｂ０が形成されている。第１及び第２アーム２，３が帯形状を有することでスカートを脚部に強く把持することができ、複数の穴部２ｂ０，３ｂ０が設けられていることでこれらを介して通気することができる。装着部に汗をかき、不快に感じたりスカートに汗がしみてしまったりするおそれが小さなものとなる。穴部２ｂ０，３ｂ０の数、大きさ、形状等は任意であり、第１及び第２アーム２，３の内面又は外面に対する面積比を例えば３０〜７０％とする。
【００２１】
また、第１及び第２アーム２，３は、基端２ｃ，３ｃを胴部２ｂ，３ｂに対して他側（すなわち、スカート把持具１の外面側）に湾曲して成形されている。第１アーム２の基端２ｃには、貫通孔２ｃ０が形成された２つの枢が上下に離間して設けられている。第２アーム３の基端３ｃには、貫通孔３ｃ０が形成された１つの枢が中央に設けられている。
【００２２】
連結部４は、第１及び第２アーム２，３の基端２ｃ，３ｃを回動可能に連結するとともに、先端２ａ，３ａを互いに近接する方向に付勢する部分である。連結部４は、軸状部材４ａ及び付勢部材４ｂを有する。第１及び第２アーム２，３の先端２ａ，３ａを対向し、第２アーム３の基端３ｃの枢を第１アーム２の基端２ｃの２つの枢の間に配し、それにより一軸方向に連通する貫通孔２ｃ０，３ｃ０に軸状部材４ａを挿入する。ここで、第２アーム３の枢と第１アーム２の２つの枢のそれぞれと間に例えばスプリング等の付勢部材４ｂを設ける。第１及び第２アーム２，３は、複数の穴部２ｂ０，３ｂ０が設けられていることでそれらの弾性により得られる付勢力は小さい。しかし、付勢力を発する付勢部材４ｂを設けることで、第１及び第２アーム２，３の先端２ａ，３ａを互いに近接する方向に十分な力で付勢することができる。
【００２３】
ここで、複数の穴部２ｂ０，３ｂ０が設けられているので、第１及び第２アーム２，３は、穴部２ｂ０，３ｂ０が設けられていない場合に比して、脚部るので
【００２４】
図２に、スカート把持具１の開閉状態を示す。図２（Ａ）及び（Ｂ）は、それぞれ、閉状態及び開状態を示す。ここで、開状態とは、スカート把持具１の内側に脚部を入れてスカートとともに挟んだ状態である。このときの第１及び第２アーム２，３の開き角度は、例えば２５〜３５度の範囲内である。閉状態では、スカート把持具１は、付勢部材４ｂにより付勢されて第１及び第２アーム２，３の先端２ａ，３ａを当接する。なお、閉状態において、第１及び第２アーム２，３の先端２ａ，３ａは当接せず、離間してもよい。開状態では、先述の第１及び第２アーム２，３の形状により、基端２ｃ，３ｃに形成された枢は胴部２ｂ，３ｂの内面よりなる弧Ｌの外側に位置する。ここで、弧Ｌは、連続的に湾曲する弧であり、好ましくは円弧又は楕円弧である。従って、連結部４により、第１及び第２アーム２，３の基端２ｃ，３ｃは弧Ｌの外側で連結される。これにより、使用時において、第１及び第２アーム２，３の基端２ｃ，３ｃが弧Ｌの内側に突出してスカート及びこれを介して脚部に当接して傷めることがない。
【００２５】
以上詳細に説明したように、スカート把持具１は、胴部２ｂ，３ｂに対して先端２ａ，３ａを一側に湾曲する第１及び第２アーム２，３、第１及び第２アーム２，３の基端２ｃ，３ｃをそれぞれの先端２ａ，３ａを対向して連結し、先端２ａ，３ａを互いに近接する方向に付勢する連結部４を備える。連結部４により、胴部２ｂ，３ｂに対して先端２ａ，３ａを一側に湾曲する第１及び第２アーム２，３の基端２ｃ，３ｃをそれぞれの先端２ａ，３ａを対向して連結するとともに先端２ａ，３ａを互いに近接する方向に付勢することで、第１及び第２アーム２，３の先端２ａ，３ａを広げ、それらの内側に脚部を入れてスカートとともに挟むことで、スカートを脚部に把持することができる。
【００２６】
また、第１及び第２アーム２，３の基端２ｃ，３ｃは弧Ｌの外側で連結されるので、使用時（開状態）において、第１及び第２アーム２，３の基端２ｃ，３ｃが弧Ｌの内側に突出してスカート及びこれを介して脚部に当接して傷めることがない。
【実施例２】
【００２７】
本実施例は、第１及び第２アームの基端が突出してスカート及びこれを介して脚部に当接して傷めることがない別の形態を示すものである。他の部分は実施例１と同様であり、詳細な説明を省略する。
【００２８】
図３に、スカート把持具１１の構成を示す。スカート把持具１１は、第１及び第２アーム１２，１３並びに連結部１４を備える。ここで、先述のスカート把持具１に対して第１及び第２アーム１２，１３の基端１２ｃ，１３ｃの構成のみが異なる。
【００２９】
第１及び第２アーム１２，１３の基端１２ｃ，１３ｃは、胴部１２ｂ，１３ｂの延長上に成形されている。第１アーム１２の基端１２ｃには、貫通孔１２ｃ０が形成された２つの枢が上下に離間して設けられている。第２アーム１３の基端１３ｃには、貫通孔（不図示）が形成された１つの枢（不図示）が中央に設けられている。
【００３０】
連結部１４は、軸状部材１４ａ及び付勢部材（不図示）を有する。第１及び第２アーム１２，１３の先端１２ａ，１３ａを対向し、第２アーム１３の基端１３ｃの枢を第１アーム１２の基端１２ｃの２つの枢の間に配し、それにより一軸方向に連通する貫通孔に軸状部材１４ａを挿入する。ここで、第２アーム１３の枢と第１アーム１２の２つの枢のそれぞれと間に例えばスプリング等の付勢部材（不図示）を設ける。
【００３１】
図４に、スカート把持具１１の開閉状態を示す。図４（Ａ）及び（Ｂ）は、それぞれ、閉状態及び開状態を示す。閉状態では、スカート把持具１１は、付勢部材（不図示）により付勢されて第１及び第２アーム１２，１３の先端１２ａ，１３ａを当接する。なお、閉状態において、第１及び第２アーム２，３の先端２ａ，３ａは当接せず、離間してもよい。開状態では、先述の第１及び第２アーム１２，１３の形状により、基端１２ｃ，１３ｃに形成された枢は胴部１２ｂ，１３ｂの中心を通る弧ＬＬ上に位置する。ここで、弧ＬＬは、連続的に湾曲する弧であり、好ましくは円弧又は楕円弧である。従って、連結部１４により、第１及び第２アーム１２，１３の基端１２ｃ，１３ｃは弧ＬＬ上で連結される。これにより、使用時において、第１及び第２アーム１２，１３の基端１２ｃ，１３ｃが弧ＬＬの内側に突出してスカート及びこれを介して脚部に当接して傷めることがない。
【００３２】
以上詳細に説明したように、第１及び第２アーム１２，１３の基端１２ｃ，１３ｃは弧ＬLの外側で連結されるので、使用時（開状態）において、第１及び第２アーム１２，１３の基端１２ｃ，１３ｃが弧ＬＬの内側に突出してスカート及びこれを介して脚部に当接して傷めることがない。
【実施例３】
【００３３】
本実施例は、スカート把持具のデザイン性、ファッション性を示すものである。スカート把持具の基本的構成は実施例１、２と同様であり、詳細な説明を省略する。以下、実施例１のスカート把持具に対応する部分に同一の符号を付して説明する。
【００３４】
複数の穴部２ｂ０，３ｂ０は、その形状によって、スカート把持具１の外観に変化を与える。この変化により、ファッション性に富んだスカート把持具１を構成することができる。
【００３５】
図５に、スカート把持具１のデザインを示す。第１アーム２を側面から見た図である。なお、第２アーム３も同様にデザインすることができる。第１アーム２は、弓型の装飾部２ｄが図に示すように左右対称に、繰り返されて設けられている。アーム本体２ｅは、装飾部２ｄを連結し、全体として第１アーム２を構成する。複数の穴部２ｂ０は、図に示すように、装飾部２ｄの間に設けられている。
【００３６】
穴部２ｂ０及び装飾部２ｄによって、ファッション性に富んだデザインを構成することができる。例えば、アーム本体２ｅを金色の金属体とし、装飾部２ｄを藍色（他の色であってもよい）の凸状体とすることでファッション性を出すことができる。なお、穴部２ｂ０及び装飾部２ｄについては、本実施例に限定されず、各種のデザインが可能である。
【００３７】
以上のデザインは、付勢部材４ｂにより、第１アーム２の材質及び形状を限定せずに設計できることによって、幅広く可能となる。
【００３８】
図６は、スカート把持具の装着状態を示す図である。スカート把持具１を装着し、スカート５を脚６に固定した状態である。ファッション性を強く持つものである。
【００３９】
以上詳細に説明したように、第１及び第２アーム２，３の材質及び形状に限定がないことと、穴部２ｂ０とによって、ファッション性を高めることが可能となる。
【産業上の利用可能性】
【００４０】
スカートを脚部に把持するスカート把持具であって、快適に装着できるものである。また、ファッション性を有するデザインとなり得る。多くの女性による利用が考えられる。
【符号の説明】
【００４１】
１        スカート把持具
２        第１アーム
２ａ      先端
２ｂ      胴部
２ｂ０    穴部
２ｃ      基端
２ｃ０    貫通孔
２ｄ      装飾部
２ｅ      アーム本体
３        第２アーム
３ａ      先端
３ｂ      胴部
３ｂ０    穴部
３ｃ      基端
３ｃ０    貫通孔
４        連結部
４ａ      軸状部材
４ｂ      付勢部材
５        スカート
６        脚  
１１      スカート把持具
１２      第１アーム
１２ａ    先端
１２ｂ０  胴部
１２ｃ    基端
１２ｃ０  貫通孔
１３      第２アーム
１３ａ    先端
１３ｂ０  胴部
１３ｃ    基端
１３ｃ０  貫通孔
１４      連結部
１４ａ    軸状部材
【図１】
0003212260.tif 000003
【図２】
0003212260.tif 000004
【図３】
0003212260.tif 000005
【図４】
0003212260.tif 000006
【図５】
0003212260.tif 000007
【図６】
0003212260.tif 000008